(57)【要約】【課題】基地局装置の初期起動処理時に障害が発生した場合にも、初期起動処理を安定的に完了させるとともに、障害に効率的に対応する。【解決手段】基地局装置の初期起動処理時に最初に起動する特定の機能部は、初期処理情報部６０の内部で初期処理情報を管理する情報エリアがＰａｇｅ（＃１）６０ａ、Ｐａｇｅ（＃２）６０ｂの２つに二重化されている。基地局装置の初期起動処理時には、初期処理情報部保護機能部８０が、初期処理情報部６０の更新処理を強制的完了させるとともに、中央演算機能部４０が、初期処理情報部６０内の情報エリアＰａｇｅ（＃１）６０ａ、Ｐａｇｅ（＃２）６０ｂのうち、破壊を免れた情報エリアの初期処理情報を用いて初期起動処理を実行する。【選択図】      図１
2004272430.tif 000002
【特許請求の範囲】
【請求項１】
基地局装置内に複数の機能部を有する基地局装置内初期処理情報更新システムにおいて、
前記複数の機能部のうち前記基地局装置の初期起動処理時に最初に起動する特定の機能部は、初期処理情報を管理する情報エリアが二重化されている初期処理情報部を有することを特徴とする基地局装置内初期処理情報更新システム。
【請求項２】
前記複数の機能部のうち当該複数の機能部の状態監視および制御を行う基地局装置監視・制御部は、前記基地局装置の初期起動処理時に前記特定の機能部に対して再起動処理要求を伝達することとし、
前記特定の機能部は、前記基地局装置の初期起動処理時に、前記初期処理情報部における更新処理を強制的に完了させる初期処理情報部保護機能部を有することを特徴とする、請求項１に記載の基地局装置内初期処理情報更新システム。
【請求項３】
前記特定の機能部は、前記基地局装置の初期起動処理時に、前記初期処理情報部内部の二重化された２つの情報エリアの初期処理情報を判定し、初期処理情報の破壊を免れた情報エリアの初期処理情報を用いて初期起動処理を実行する中央演算機能部を有することを特徴とする、請求項２に記載の基地局装置内初期処理情報更新システム。
【請求項４】
前記基地局装置監視・制御部は、前記基地局装置の初期起動処理時の制御を開始する前に、前記特定の機能部内の前記中央演算機能部に対して再起動処理要求を直接伝達することも行うこととし、
前記中央演算機能部は、前記基地局装置監視・制御部から直接再起動処理要求が伝達された場合、前記初期処理情報部における更新処理を中止させることを特徴とする、請求項３に記載の基地局装置内初期処理情報更新システム。
【請求項５】
前記特定の機能部は、前記初期処理情報部内部の二重化された２つの情報エリアの初期処理情報を一時的に記憶する一時的記憶装置を有し、
前記中央演算機能部は、定期的に、前記初期処理情報部内部の二重化された２つの情報エリアの初期処理情報を前記一時的記憶装置内に展開させ、情報読み出し可能であるか否かを確認し、情報読み出し不可を検出した場合にその旨を前記基地局装置監視・制御部に伝達するとともに、情報読み出し不可を検出した際に前記初期処理情報部における更新処理が不可能な故障が発生していると判断した場合にもその旨を前記基地局装置監視・制御部に伝達することを特徴とする、請求項３または４に記載の基地局装置内初期処理情報更新システム。
【請求項６】
前記特定の機能部は、前記複数の機能部の全ての情報を記憶する装置内主記憶装置であることを特徴とする、請求項１から５のいずれか１項に記載の基地局装置内初期処理情報更新システム。
【請求項７】
前記特定の機能部は、前記複数の機能部の伝送路的な機能を果たす装置内伝送路機能部であることを特徴とする、請求項１から６のいずれか１項に記載の基地局装置内初期処理情報更新システム。
【発明の詳細な説明】
【０００１】
【発明の属する技術分野】
本発明は、基地局装置の初期起動処理時に用いる当該基地局装置内の初期処理情報を更新するための基地局装置内初期処理情報更新システムに関する。
【０００２】
【従来の技術】
従来、基地局装置内の各種情報を更新するための技術が多数開示されており、その一例として、特許文献１には、基地局装置内のソフトウエアを更新するための技術が開示されている。
【０００３】
以下、基地局装置の初期起動処理時に用いる当該基地局装置内の初期処理情報を更新するための基地局装置内初期処理情報更新システムについて説明する。
【０００４】
図３は、従来の基地局装置内初期処理情報更新システムのブロック図である。
【０００５】
図３を参照すると、本従来例の基地局装置内初期処理情報更新システムは、装置内主記憶機能部１と、装置内伝送路機能部２と、基地局装置監視・制御部４と、他機能部５〜Ｎとを有している。なお、図３は、データバス線１ａ，１ｂ，４ａ，４ｂ〜Ｎａ，Ｎｂが単線であるように示しているが、データバス線１ａ，１ｂ，４ａ，４ｂ〜Ｎａ，Ｎｂは複数線の場合もある。
【０００６】
装置内主記憶装置１は、基地局装置内の装置内伝送路機能部２、基地局装置監視・制御部４、他機能部５〜Ｎの各機能部の情報を一括管理し、その情報を基地局装置の初期起動処理時に該当する機能部へ送信する。
【０００７】
装置内伝送路機能部２は、データバス線１ａ，１ｂにより装置内主記憶装置１に接続され、データバス線４ａ，４ｂにより基地局装置監視・制御部４に接続され、データバス線５ａ，５ｂ〜Ｎａ，Ｎｂにより他機能部５〜Ｎに接続されており、基地局装置内で伝送路的な機能を果たしている。
【０００８】
基地局装置監視・制御部４は、基地局装置内の装置内主記憶機能部１、装置内伝送路機能部２、他機能部５〜Ｎの各機能部の状態を監視する。また、必要に応じて、遠隔地に配置されている上位局から制御内容が記述された指示を受け付け、上位局からの指示に基づいて基地局装置内の主記憶機能部１、装置内伝送路機能部２、他機能部５〜Ｎの各機能部に対する制御を実施する。
【０００９】
他機能部５〜Ｎは、基地局装置に後から追加することが可能であり、基地局装置が各種の機能を実行するために設けられている。
【００１０】
図３に示した基地局装置では、初期起動処理時に最初に起動する必要がある機能部は、装置内主記憶装置１および装置内伝送路機能部２である。その理由は、基地局装置の初期起動処理時に装置内主記憶装置１および装置内伝送路機能部２が最初に起動しないと、これら以外の基地局装置監視・制御部４および他機能部５〜Ｎの各機能部が当該各機能部の情報を装置内主記憶装置１内から取得する処理が成功しないためである。
【００１１】
図４は、図３に示した基地局装置内初期処理情報更新システムを構成する機能部の中で基地局装置の初期起動処理時に最初に起動する必要がある機能部（ここでは装置内主記憶機能部１および装置内伝送路機能部２）の内部構成であって初期起動処理に関連する部分のみを模式的に示すブロック図である。
【００１２】
図４を参照すると、装置内主記憶機能部１および装置内伝送路機能部２は、演算処理管理部３０と、中央演算機能部４０と、再起動処理部５０と、初期処理情報部６０と、一時的記憶装置７０とを有している。なお、図４の構成を装置内主記憶機能部１として適用した場合、図４のデータバス線１０，２０，９０は図３のデータバス線１ｂに相当し、データバス線１０，２０，９０には基地局装置監視・制御部４からの制御命令が装置内伝送路機能部２を経由して伝達されることになる。また、図４の構成を装置内伝送路機能部２として適用した場合、図４のデータバス線１０，２０，９０は図３のデータバス線４ａに相当し、データバス線１０，２０，９０には基地局装置監視・制御部４からの制御命令が直接伝達されることになる。
【００１３】
演算処理管理部３０は、基地局装置内の基地局装置監視・制御部４からデータバス線１０，２０を介してソフトウエア的およびハードウエア的な再起動処理要求（初期起動処理要求）を受け付けると、その再起動処理要求をデータバス線３０ａを介して再起動処理要求部５０に伝達する。なお、ソフトウエア的およびハードウエア的な要求とは、中央演算機能部４０だけでなく中央演算機能部４０以外のハードウエアにも実行させる命令であって、中央演算機能部４０またはハードウエアに対し、パターン化された命令をソフトウエア的に解釈させ、当該命令に基づく処理を実行させる命令のことである。
【００１４】
再起動処理要求部５０は、演算処理管理部３０から伝達された再起動処理要求を、データバス線５０ａ〜５０ｄを介して、初期処理情報部６０、演算処理管理部３０、中央演算機能部４０および一時的記憶装置７０に伝達する。
【００１５】
中央演算機能部４０は、基地局装置内の基地局装置監視・制御部４からデータバス線９０を介してソフトウエア的な再起動処理要求（初期起動処理要求）を受け付けると、即座にデータバス線４０ｃを介して、初期処理情報部６０における初期処理情報を書き込む更新処理を開始させる。また、中央演算機能部４０は、上記の制御以外にも、基地局装置監視・制御部４からの制御命令に基づいて、データバス線４０ａ〜４０ｃを介して、一時的記憶装置７０、演算処理管理部３０および初期処理情報部６０に対する各種の制御を実行する。なお、ソフトウエア的な要求とは、中央演算機能部４０にのみ実行させる命令であって、中央演算機能部４０に対し、パターン化された命令をソフトウエア的に解釈させ、当該命令に基づく処理を実行させる命令のことである。
【００１６】
初期処理情報部６０は、再起動処理要求部５０または中央演算機能部４０からの指示に基づいて、初期処理情報の書き込みまたは読み出し処理を行う。
【００１７】
一時的記憶装置７０は、中央演算機能部４０からの指示に基づいて、データバス線７０ａを介して初期処理情報部６０に書き込まれている初期処理情報を読み出し、一時的に記憶する。
【００１８】
基地局装置の初期処理時には、最初に起動する必要がある装置内主記憶装置１および装置内伝送路機能部２は、自機能部内の初期処理情報部６０から初期処理情報を読み出し、読み出した初期処理情報を自機能部内に展開し起動する。
【００１９】
このとき、装置内伝送路機能部２の初期処理情報が更新されており、更新された初期処理情報が装置内主記憶装置１に記憶されている場合、その更新された初期処理情報が、装置内伝送路機能部２が起動した段階で装置内主記憶装置１から装置内伝送路機能部２へ配信される。なお、装置内主記憶装置１の更新された初期処理情報は装置内主記憶装置１自体に記憶されているため、装置内主記憶装置１に関しては上記の処理は必要がない。
【００２０】
その後、装置内主記憶装置１および装置内伝送路機能部２は、自機能部の更新された初期処理情報を初期処理情報部６０へ書き込む更新処理を開始する。
【００２１】
なお、基地局装置監視・制御部４および他機能部５〜Ｎも、装置内主記憶装置１および装置内伝送路機能部２が起動した段階で、自機能部の更新された初期処理情報が装置内主記憶機能部１から配信される。
【００２２】
【特許文献１】
特開平０７−２５５０８０号公報
【００２３】
【発明が解決しようとする課題】
従来の基地局装置では、初期処理情報部における更新処理の際に障害が発生したときには、初期処理情報部に対し、充分な完了処置を実施することができず、初期処理情報部そのもの、つまり初期処理情報部がハードウエア的に破壊されるか、または初期処理情報部内部に保持されていたソフトウエア的な情報までも破壊されてしまう可能性があった。
【００２４】
この場合には、基地局装置を再起動させる際に初期処理情報部が障害となり、基地局装置の正常な初期起動処理が完了せず、システムダウン状態に陥ってしまう。また、初期処理情報部が、ハードウエア的に破壊されてしまった場合、障害が発生した基地局装置が再び正常にサービスを提供できる状態になるためには、基地局装置の保守管理者の人的な作業を必要としてしまい、基地局装置の復旧作業に莫大なコストを要してしまう。また、基地局装置の初期起動処理に失敗した場合、障害原因を判断することが難しく、開発者と同等の知識を持ち合わせていなければ、基地局装置で発生している障害に対応することが非常に困難である。また、実際に障害を発生した基地局装置に対する保守管理者による保守作業が完了するまでの間、サービス提供者によるサービス提供が困難な状態になってしまい、サービス提供者も減益を強いられてしまう。
【００２５】
また、同機能の初期処理情報部を複数設けることも考えられるが、その場合は、障害発生時、保守管理者がどの初期処理情報部にて障害が発生したのか判断することは困難である。また、同機能の初期処理情報部を複数設けることとすると、基地局装置内の限られた空間資源を有効活用することができない。また、同機能の初期処理情報部を複数設けることは、コストの増大につながってしまう。
【００２６】
そこで、本発明の目的は、基地局装置の初期起動処理時に障害が発生した場合にも、初期起動処理を安定的に完了させることができ、障害に効率的に対応することができる基地局装置内初期処理情報更新システムを提供することにある。
【００２７】
【課題を解決するための手段】
上記目的を達成するために本発明の基地局装置内初期処理情報更新システムは、基地局装置内に複数の機能部を有する基地局装置内初期処理情報更新システムにおいて、前記複数の機能部のうち前記基地局装置の初期起動処理時に最初に起動する特定の機能部は、初期処理情報を管理する情報エリアが二重化されている初期処理情報部を有することを特徴としている。
【００２８】
また、前記複数の機能部のうち当該複数の機能部の状態監視および制御を行う基地局装置監視・制御部は、前記基地局装置の初期起動処理時に前記特定の機能部に対して再起動処理要求を伝達することとし、前記特定の機能部は、前記基地局装置の初期起動処理時に、前記初期処理情報部における更新処理を強制的に完了させる初期処理情報部保護機能部を有することを特徴としている。
【００２９】
また、前記特定の機能部は、前記基地局装置の初期起動処理時に、前記初期処理情報部内部の二重化された２つの情報エリアの初期処理情報を判定し、初期処理情報の破壊を免れた情報エリアの初期処理情報を用いて初期起動処理を実行する中央演算機能部を有することを特徴としている。
【００３０】
また、前記基地局装置監視・制御部は、前記基地局装置の初期起動処理時の制御を開始する前に、前記特定の機能部内の前記中央演算機能部に対して再起動処理要求を直接伝達することも行うこととし、前記中央演算機能部は、前記基地局装置監視・制御部から直接再起動処理要求が伝達された場合、前記初期処理情報部における更新処理を中止させることを特徴としている。
【００３１】
また、前記特定の機能部は、前記初期処理情報部内部の二重化された２つの情報エリアの初期処理情報を一時的に記憶する一時的記憶装置を有し、前記中央演算機能部は、定期的に、前記初期処理情報部内部の二重化された２つの情報エリアの初期処理情報を前記一時的記憶装置内に展開させ、情報読み出し可能であるか否かを確認し、情報読み出し不可を検出した場合にその旨を前記基地局装置監視・制御部に伝達するとともに、情報読み出し不可を検出した際に前記初期処理情報部における更新処理が不可能な故障が発生していると判断した場合にもその旨を前記基地局装置監視・制御部に伝達することを特徴としている。
【００３２】
なお、前記特定の機能部は、前記複数の機能部の全ての情報を記憶する装置内主記憶装置であっても良く、前記複数の機能部の伝送路的な機能を果たす装置内伝送路機能部であっても良い。
【００３３】
（作用）
上記のように構成された本発明においては、基地局装置の初期起動処理時に最初に起動する特定の機能部において、初期処理情報部内部で初期処理情報を管理する情報エリアを二重化しており、基地局装置の初期起動処理時には、初期処理情報部の更新処理を強制的完了させるとともに、破壊を免れた情報エリアの初期処理情報を用いて初期起動処理を実行している。
【００３４】
それにより、基地局装置の初期起動処理時に障害が発生した場合にも、初期処理情報部が完全に破壊されることなく、初期起動処理を安定的に完了させることが可能になるとともに、障害に対する効率的な対応することが可能となる。
【００３５】
また、本発明においては、定期的に、初期処理情報部の情報読み出し可能であるかを確認し、情報読み出し不可を検出した場合や、情報読み出し不可を検出した際に初期処理情報部における更新処理が不可能な故障が発生していると判断した場合に、その旨を基地局装置監視・制御部に伝達している。
【００３６】
それにより、基地局装置とは離れた遠隔地に配置されている上位局でも、基地局装置監視・制御部から基地局装置の障害情報を取得することが可能であるため、上位局では基地局装置の障害内容を容易に判定することが可能となる。
【００３７】
【発明の実施の形態】
以下に、本発明の実施の形態について図面を参照して説明する。
【００３８】
図１は、本実施形態の基地局装置内初期処理情報更新システムのブロック図である。なお、図１において、図３と同様の部分については同一の符号を付す。
【００３９】
図１を参照すると、本実施形態の基地局装置内初期処理情報更新システムは、装置内主記憶機能部１と、装置内伝送路機能部２，３と、基地局装置監視・制御部４と、他機能部５〜９とを有している。なお、図１は、データバス線１ａ，１ｂ，３ａ，３ｂ〜９ａ，９ｂが単線であるように示しているが、データバス線１ａ，１ｂ，３ａ，３ｂ〜９ａ，９ｂは複数線の場合もある。
【００４０】
装置内主記憶装置１は、基地局装置内の装置内伝送路機能部２，３、基地局装置監視・制御部４、他機能部５〜９の各機能部の情報を一括管理し、その情報を基地局装置の初期起動処理時に該当する機能部へ送信する。
【００４１】
装置内伝送路機能部２は、データバス線１ａ，１ｂにより装置内主記憶装置１に接続され、データバス線４ａ，４ｂにより基地局装置監視・制御部４に接続され、データバス線５ａ，５ｂ，６ａ，６ｂにより他機能部５，６に接続され、データバス線３ａ，３ｂにより装置内伝送路機能部３に接続されており、基地局装置内で伝送路的な機能を果たしている。
【００４２】
同様に、装置内伝送路機能部３は、データバス線３ａ，３ｂにより装置内伝送路機能部２に接続され、データバス線７ａ，７ｂ〜９ａ，９ｂにより他機能部７〜９に接続されており、基地局装置内で伝送路的な機能を果たしている。
【００４３】
基地局装置監視・制御部４は、基地局装置内の装置内主記憶機能部１、装置内伝送路機能部２、他機能部５〜９の各機能部の状態を監視する。また、必要に応じて、遠隔地に配置されている上位局からの制御内容の指示を受け付け、上位局からの指示に基づいて基地局装置内の主記憶機能部１、装置内伝送路機能部２、他機能部５〜９の各機能部に対する制御を実施する。
【００４４】
他機能部５〜９は、基地局装置に後から追加することが可能であり、基地局装置が各種の機能を実行するために設けられている。
【００４５】
図１に示した基地局装置では、初期起動処理時に最初に起動する必要がある機能部は、装置内主記憶装置１および装置内伝送路機能部２，３である。その理由は、基地局装置の初期起動処理時に装置内主記憶装置１および装置内伝送路機能部２，３が最初に起動しないと、これら以外の基地局装置監視・制御部４および他機能部５〜９の各機能部が当該各機能部の情報を装置内主記憶装置１内から取得する処理が成功しないためである。
【００４６】
図２は、図１に示した基地局装置内初期処理情報更新システムを構成する機能部の中で基地局装置の初期起動処理時に最初に起動する必要がある機能部（ここでは装置内主記憶機能部１および装置内伝送路機能部２〜３）の内部構成であって初期起動処理に関連する部分のみを模式的に示すブロック図である。
【００４７】
図２を参照すると、装置内主記憶機能部１および装置内伝送路機能部２，３は、演算処理管理部３０と、中央演算機能部４０と、再起動処理部５０と、初期処理情報部６０と、一時的記憶装置７０と、初期処理情報部保護機能部８０とを有している。なお、図２の構成を装置内主記憶機能部１として適用した場合、図２のデータバス線１０，２０，９０は図１のデータバス線１ｂに相当し、データバス線１０，２０，９０には基地局装置監視・制御部４からの制御命令が装置内伝送路機能部２を経由して伝達されることになる。また、図２の構成を装置内伝送路機能部３として適用した場合、図２のデータバス線１０，２０，９０は図１のデータバス線３ａに相当し、データバス線１０，２０，９０には基地局装置監視・制御部４からの制御命令が装置内伝送路機能部２を経由して伝達されることになる。また、図２の構成を装置内伝送路機能部２として適用した場合、図２のデータバス線１０，２０，９０は図１のデータバス線４ａに相当し、データバス線１０，２０，９０には基地局装置監視・制御部４からの制御命令が直接伝達されることになる。
【００４８】
演算処理管理部３０は、基地局装置内の基地局装置監視・制御部４からデータバス線１０，２０を介してソフトウエア的およびハードウエア的な再起動処理要求（初期起動処理要求）を受け付けると、その再起動処理要求をデータバス線３０ａを介して再起動処理要求部５０に伝達する。なお、ソフトウエア的およびハードウエア的な要求とは、中央演算機能部４０だけでなく中央演算機能部４０以外のハードウエアにも実行させる命令であって、中央演算機能部４０またはハードウエアに対し、パターン化された命令をソフトウエア的に解釈させ、当該命令に基づく処理を実行させる命令のことである。
【００４９】
再起動処理要求部５０は、演算処理管理部３０から伝達された再起動処理要求を、データバス線５０ａ〜５０ｄを介して、初期処理情報部保護機能部８０、演算処理管理部３０、中央演算機能部４０および一時的記憶装置７０に伝達する。
【００５０】
中央演算機能部４０は、基地局装置内の基地局装置監視・制御部４からデータバス線９０を介してソフトウエア的な再起動処理要求（初期起動処理要求）を受け付けると、データバス線４０ｃを介して、初期処理情報部６０における初期処理情報を書き込む更新処理を中止させる。また、中央演算機能部４０は、上記の制御以外にも、基地局装置監視・制御部４からの制御命令に基づいて、データバス線４０ａ〜４０ｄを介して、一時的記憶装置７０、演算処理管理部３０、初期処理情報部６０および初期処理情報部保護機能部８０に対する各種の制御を実行する。なお、ソフトウエア的な要求とは、中央演算機能部４０にのみ実行させる命令であって、中央演算機能部４０に対し、パターン化された命令をソフトウエア的に解釈させ、当該命令に基づく処理を実行させる命令のことである。
【００５１】
初期処理情報部６０は、初期処理情報を管理するための情報エリアがＰａｇｅ（＃１）６０ａとＰａｇｅ（＃２）６０ｂとに二重化され、初期処理情報部保護機能部８０または中央演算機能部４０からの指示に基づいて、二重化された２つの情報エリアＰａｇｅ（＃１）６０ａとＰａｇｅ（＃２）６０ｂに対し、初期処理情報の書き込みおよび読み出し処理を行う。
【００５２】
一時的記憶装置７０は、中央演算機能部４０からの指示に基づいて、データバス線７０ａを介して初期処理情報部６０に書き込まれている初期処理情報を読み出し、一時的に記憶する。
【００５３】
初期処理情報部保護機能部８０は、再起動処理要求部５０からデータバス線５０ａを介して再起動処理要求が伝達されると、データバス線８０ａを介して、初期処理情報部６０における初期処理情報を書き込む更新処理を強制的に完了させる。
【００５４】
なお、本発明の基地局装置内初期処理情報更新システムの全体構成は、図１に示した構成に限定されず、図３に示した従来例の構成も適用することができる。その場合には、図３に示した機能部の中で基地局装置の初期起動処理時に最初に起動する必要がある装置内主記憶機能部１および装置内伝送路機能部２の内部構成を図２と同様にすれば良い。
【００５５】
以下、図１および図２に示した基地局装置内初期処理情報更新システムの動作について説明する。
【００５６】
基地局装置内の基地局装置監視・制御部４は、ソフトウエア的およびハードウエア的な再起動処理要求を、基地局装置の初期起動処理時に、装置内主記憶機能部１および装置内伝送路機能部２，３に伝達する。
【００５７】
演算処理管理部３０は、基地局装置監視・制御部４から伝達されてきたソフトウエア的およびハードウエア的な再起動処理要求をデータバス線１０，２０を介して受け付けると、その再起動処理要求をデータバス線３０ａを介して再起動処理要求部５０に伝達する。
【００５８】
再起動処理要求部５０は、演算処理管理部３０から再起動処理要求が伝達されると、その再起動処理要求を、データバス線５０ａ〜５０ｄを介して、初期処理情報部保護機能部８０、演算処理管理部３０、中央演算機能部４０および一時的記憶装置７０に伝達する。
【００５９】
このとき、初期処理情報部６０が初期処理情報の更新中であった場合、初期処理情報部６０そのものがハードウエア的に破壊される恐れがあるため、初期処理情報部保護機能８０は、データバス線８０ａを介し、初期処理情報部６０の更新処理を強制的に正常完了させる。
【００６０】
このように初期処理情報部６０の更新処理を強制的に正常完了させることにより、初期処理情報部６０がハードウエア的に破壊されることを回避することが可能になる。但し、初期処理情報部６０を強制的に正常完了させてしまうため、初期処理情報部６０で更新中の初期処理情報は破壊されてしまう。
【００６１】
そこで、中央演算機能部４０は、初期処理情報部６０内部の二重化された情報エリアＰａｇｅ（＃１）６０ａおよびＰａｇｅ（＃２）６０ｂに保持されている初期処理情報を判定し、初期処理情報の破壊を免れた情報エリアに保持されている初期処理情報を読み出し、展開して初期起動処理を実施し起動する。
【００６２】
さらに、中央演算機能部４０は、自機能部の初期処理情報部６０のＰａｇｅ（＃１）６０ａおよびＰａｇｅ（＃２）６０ｂのうち、初期処理情報が破壊されている情報エリアの内容を先に更新させる。
【００６３】
一方、基地局装置内の基地局装置監視・制御部４は、ソフトウエア的な再起動処理要求については、基地局装置の初期起動処理時の制御実施前に、装置内主記憶機能部１および装置内伝送路機能部２，３に伝達し、装置内主記憶機能部１および装置内伝送路機能部２，３の再起動を要求していることを事前に伝達する。
【００６４】
中央演算機能部４０は、基地局装置監視・制御部４から直接伝達されてきたソフトウエア的な再起動処理要求をデータバス線９０を介して受け付けると、データバス線４０ｃを介し、初期処理情報部６０の更新処理を中止させ、基地局装置の初期起動処理後に、初期処理情報部６０の更新処理を中止した旨の情報を装置内主記憶装置１および基地局装置監視・制御部４に伝達する（装置内主記憶装置１の場合は基地局装置監視・制御部４にのみ伝達する）。
【００６５】
このように初期処理情報部６０の更新処理を中止させることにより、初期処理情報部６０がハードウエア的に破壊されることなく、基地局装置の初期起動処理を安定して完了させることができる。
【００６６】
また、経年変化などにより、初期処理情報部６０が故障してしまったときのことを考え、中央演算機能部４０は、定期的に、初期処理情報部６０内の情報を一時的記憶装置７０内に展開させ、情報読み出し可能であるか否かを確認する。情報読み出しが不可能な故障の場合、基地局装置の次回起動時に情報の展開ができなくなってしまい、基地局装置の初期起動処理に影響を与えてしまう。
【００６７】
そのため、中央演算機能部４０は、情報読み出し不可を検出した場合には、その旨を基地局装置監視・制御部４に伝達する。さらに、情報読み出し不可を検出した際に初期処理情報部６０における更新処理が不可能な故障が発生していると判断した場合には、その旨を基地局装置監視・制御部４に伝達する。なお、更新処理が可能な故障の場合も、その旨を基地局装置監視・制御部４に伝達するものとする。故障発生を確認した基地局装置監視・制御部４は、遠隔地に配置されている上位局の管理者に対し、障害内容を伝達する。
【００６８】
【発明の効果】
以上説明したように本発明においては、基地局装置の初期起動処理時に障害が発生した場合にも、初期起動処理を安定的に完了させることを実現するとともに、障害に対する効率的な対応を可能にするという効果がある。
【００６９】
また、基地局装置の初期起動処理を安定的に完了させることにより、初期処理情報部の故障を早期に発見・対応し、初期処理情報部が完全に破壊されることを免れることが可能になり、復旧に必要な様々なコストの削減、また障害によるサービス提供の中断の回避および中断時間の短縮化を可能にする効果がある。
【００７０】
また、基地局装置の障害情報を遠隔地の上位局でも取得できるため、上位局における基地局装置の障害内容の判定を簡素化・容易化できるという効果がある。
【図面の簡単な説明】
【図１】本実施形態の基地局装置内初期処理情報更新システムのブロック図である。
【図２】本実施形態の基地局装置内初期処理情報更新システムを構成する機能部の中で基地局装置の初期起動処理時に最初に起動する必要がある機能部の内部構成であって初期起動処理に関連する部分のみを模式的に示すブロック図である。
【図３】本従来例の基地局装置内初期処理情報更新システムのブロック図である。
【図４】本従来例の基地局装置内初期処理情報更新システムを構成する機能部の中で基地局装置の初期起動処理時に最初に起動する必要がある機能部の内部構成であって初期起動処理に関連する部分のみを模式的に示すブロック図である。
【符号の説明】
１    装置内主記憶機能部
２，３    装置内伝送路機能部
４    基地局装置監視・制御部
５〜９    他機能部
３０    演算処理管理部
４０    中央演算機能部
５０    再起動処理部
６０    初期処理情報部
６０ａ，６０ｂ    情報エリア
７０    一時的記憶装置
８０    初期処理情報部保護機能部
【図１】
2004272430.tif 000003
【図２】
2004272430.tif 000004
【図３】
2004272430.tif 000005
【図４】
2004272430.tif 000006